(57)【要約】【課題】  本発明は、非接触型ＩＣカード単体、又は、クリップや紐の付いたカードホルダーなどケースに収納された状態の非接触型ＩＣカードを投入、データ処理を経て回収する装置であり、投入からデータ処理、回収までのカード搬送に複雑な機構を省き、簡略化して信頼性の高く、安価な非接触型ＩＣカード回収装置を提供することを目的とする。【解決手段】  ガイドの投入口１１と保留部１０および回収シャッター４とカード回収箱１２を、上から下方に直線状に配置することで、前記非接触型ＩＣカード９の搬送を自重で落下させ、また、保留部１０を構成するシュート１３の部分を、前記非接触型ＩＣカード９とともに可動手段により相対するガイド枠８に配置されたデータ処理装置１に近接可動させ、所定のデータ処理を可能にする。【選択図】  図３
2006195941.tif 000002
【特許請求の範囲】
【請求項１】
ガイドの上部に投入口を、下方に回収シャッターを備えた保留部を構成し、保留部のシュートと相対するガイド枠にデータ処理装置を配置して、さらに、回収シャッターの下部にカード回収箱を備えた非接触型ＩＣカード回収装置において、ガイドの投入口と保留部および回収シャッターとカード回収箱を、上から下方へ直線状に配置したことを特徴とする、非接触型ＩＣカード回収装置。
【請求項２】
前記、保留部を構成するシュートの部分が、可動手段により相対するガイド枠に配置されたデータ処理装置に近接可動することを特徴とする、請求項１に記載の非接触型ＩＣカード回収装置。
【発明の詳細な説明】
【技術分野】
【０００１】  本発明は、非接触で情報の読み書きが可能な、カード状の記録媒体である非接触型ＩＣカードのデータ処理装置を備えた回収装置であって、特にカード単体または、カードホルダーに収納状態にあるカードの回収を兼ねた、非接触型ＩＣカードの回収装置に関するものである。
【背景技術】
【０００２】  企業や、イベント会場等、施設への入場者管理は受付登録後、登録データを書き込んだ磁気カードやＩＣカードなど、カードでゲート通過しなければ入場できず、施設内では確認のため必要に応じてカードを提示する方法が多く実施されている。しかし、施設内から退場する時はカードを受付に返却するか、カード回収システムの不備をついて持ち去るなど、入場時に比べカード管理が徹底されていないのが一般的であった。これらは、退場時のリアルタイム処理によるカード照合チェックや回収方法などセキュリティ管理から改善の必要があり、また、回収によりカードを再利用することで経費節減の効果も期待される。このため、カードのデータ処理と回収を解決する手段として、下記文献の発明「カード回収装置を備えたカード処理装置」が提案されている。
【特許文献１】  特開２００３−２５６７７７号公報
【発明の開示】
【発明が解決しようとする課題】
【０００３】  前記、入退場に使用されるカードは、リーダーライター等のデータ処理装置に、近接させる操作で簡易に検知されることから、非接触型ＩＣカードの使用が多くなり実際に使用される状態は利用者の利便性から、ＩＣカード単体をカードホルダー等のケースに収納し、クリップでポケットに挟み込む方法や、紐で首に掛ける方法が一般的である。カードの回収は、前記文献の発明「カード回収装置を備えたカード回収装置」が提案されているが、磁気カードやＩＣカード単体を回収装置の搬送経路に挿入するものであり、カードホルダー等ケースに収納されている使用状態ではカードを都度取り出し、単体にしたＩＣカードを搬送経路に挿入するため、操作に手間取りゲートなど混雑の原因となる。さらに、前記提案の装置はＩＣカード単体を挿入口からデータ処理装置を経て、回収までを精密な回転ローラーで搬送するなど、複雑な機構を用いているため装置が高価となり、回転ローラーの摩耗など搬送装置の保守に時間と費用を継続して必要とする。【０００４】  そこで、本発明は、非接触型ＩＣカード単体、又は、クリップや紐の付いたカードホルダーなどケースに収納された状態の非接触型ＩＣカードを投入、データ処理を経て回収する装置であり、又、投入からデータ処理、回収までのカード搬送に複雑な機構を省き、簡略化して信頼性の高く、安価な非接触型ＩＣカード回収装置ができるようにすることを課題とする。
【課題を解決するための手段】
【０００５】  上記課題を解決するために、請求項１に記載の発明は、ガイドの上部に投入口を、下方に回収シャッターを備えた保留部を構成し、保留部のシュートと相対するガイド枠にデータ処理装置を配置して、さらに、回収シャッターの下部にカード回収箱を備えた非接触型ＩＣカード回収装置において、ガイドの投入口と保留部および回収シャッターとカード回収箱を、上から下方に直線状に配置したことを特徴とする。【０００６】  請求項２に記載の発明は、前記、保留部を構成するシュートの部分が、可動手段により相対するガイド枠に配置されたデータ処理装置に近接可動することを特徴とする。
【発明の効果】
【０００７】  本発明は次のような効果が得られる。請求項１に記載されている発明は、ガイドの投入口と保留部、さらに、回収シャッターと回収箱を上から下方へ直線状に配置することを特徴とし、単体または、クリップや紐の付いたカードホルダー等のケースに収納された非接触型ＩＣカードを縦、横又は平面など無造作に投入できる広さを確保した投入口から投入し、縦、横または斜めに立てられる状態の空間を確保した保留部で、下方の閉じられた回収シャッターに受け止め、回収に必要なデータ処理のため、可動手段により可動する保留部を構成するシュートを介して、データ処理装置と通信が可能な所定の位置まで近接可動させる。データ処理された後、可動位置にあるシュートは元の位置に戻されることで、保留部は前記、所定の空間に保持され、回収シャッターを開き回収箱に自重で落下して回収する装置であり、本発明は前記、間口や空間が設定されたガイドの投入口と保留部、さらに、回収シャッターと回収箱を上から下方へ直線状に配置したことを特徴とするため、単体または、クリップや紐の付いたケースに収納された非接触型ＩＣカードを自重で落下させる搬送が可能であり、搬送経路に複雑な機構を省くことができ、信頼性の高い、安価な非接触型ＩＣカード回収装置を提供することができる。【０００８】  請求項２に記載されている発明は、前記、「発明の効果」に記載した非接触型ＩＣカード回収装置において、保留部を構成するシュート部分が可動手段により相対するガイド枠に配置されたデータ処理装置に近接可動することを特徴とし、単体または、クリップや紐の付いたカードホルダー等ケースに収納された非接触型ＩＣカードが投入口から回収箱に回収されるまでの通過する経路は、自重により自由に落下できる空間に設定されており、保留部も、前記非接触型ＩＣカードが下方の回収シャッターにより縦、横または斜めに立てられる状態で受け止める空間に設定されている。このため、保留部では、前記非接触型ＩＣカードをデータ処理装置と通信が可能な所定位置に近接させる必要がある。本発明は、保留部を構成するシュート部分が可動手段により相対するガイド枠に配置されたデータ処理装置に近接可動することを特徴とするため、可動するシュートを介して、前記非接触型ＩＣカードをデータ処理装置と通信が可能な所定位置に近接させて所定のデータ処理を可能とする。データ処理後は可動していたシュートが元の位置に復帰することで保留部は所定の空間に戻される。以上の構成により、前記非接触型ＩＣカードの搬送経路が自重で落下する空間に保持されるため、クリップや紐の付いたカードホルダー等ケースに収納された状態で、ＩＣカードを都度取り出す必要もなく、簡単に投入できる回収装置を提供することができる。
【発明を実施するための最良の形態】
【０００９】  以下、本発明に係わる非接触型ＩＣカード回収装置の実施の形態について、図面を参照して具体的に説明する。本発明の請求項１に記載する実施の形態の例は、三方を内側面で囲む形状のガイド枠８と一方を柔軟性に富む材質から成るシュート１３で構成されるガイド１７の上端部に、単体またはカードホルダーなど紐やクリップの付いたケースに収納された非接触型ＩＣカード９（以下非接触型ＩＣカード９）を縦、横又は平面など無造作に投入できる広さを確保した投入口１１を設け、必要に応じてソレノイド７の作動で開閉の可能なシャッター６を設ける。ガイド１７の上方の外側面にはセンサー、例えば、発光部に発光ダイオード１９を受光部にフォトトランジスター２０を配置し、ガイド枠８の貫通孔２１を通過した発光ダイオード１９の光をさえぎることで、前記、非接触型ＩＣカード９の投入を確認し、回路上に結線されたソレノイド７を作動させ、連結しているシャッター６を閉じる。センサーはガイド１７の内側で、前記非接触型ＩＣカード９の投入を確実に検知させる必要数が設置される。投入口１１から自重で落下した、前記非接触型ＩＣカード９は、表または裏面がガイド１７の下方部に設けた保留部１０のガイド枠８に設置された回収に必要なデータ処理装置１と相対する位置に、さらに、縦、横または斜めに立てる状態で、ガイド１７の下端部に設けた回収シャッター４により受け止められ、回収シャッター４の開放時には自重により自由に落下する広さに保留部１０の空間が設定されている。これらの空間を設定するため、ガイド枠８は間口の広い投入口１１から、空間の狭い下方の保留部１０に向かって勾配で連接する形状が好ましい。前記、保留部１０の空間に回収シャッター４で受け止められた、前記、非接触型ＩＣカード９は、回収に必要なデータ処理のため、データ処理装置１と通信が可能な所定位置に近接させる必要があり、可動手段、例えば、保留部１０のシュート１３の背面に設置した、駆動モータ２で所定の角度を連結したアーム３で矢印Ｐ方向に回転するプッシャー１４により、可動する保留部１０を構成するシュート１３を介して、データ処理装置１との間の確実な通信距離が確保される所定の位置まで近接させる。シュート１３は可動するためプラスチック繊維や布製あるいはゴム製のシートなど柔軟性富み、且つ帯電防止処理のされた材料が好ましい。データ処理後にデータ処理装置１から信号により駆動モータ２の電源を回路上で切断し、可動しているシュート３が引っ張りばね１５でプッシャー１４とともに元の位置に戻され、保留部１０は前記設定の空間に保持される。常時閉じている回収シャッター４は連結したソレノイド５で作動させ、データ処理後のデータ処理装置１からの信号で開放され、前記非接触型ＩＣカード９の自重により落下した後、時間差で閉じると共に、閉じられていたシャッター６を開く電気回路に設定する。回収シャッター４通過した、前記非接触型ＩＣカード９は下方に配置された回収箱１２に自重で落下し回収が完了する。回収箱１２の底面には落下の際の衝撃を緩衝させる目的でゴムやフェルト等のダンパー材１８が敷かれている。【００１０】  以上の構成の、非接触型ＩＣカード回収装置において、前記それぞれ��間口および空間を保持したガイド１７の投入口１１と保留部１０および回収シャッター４と回収箱１２を、上から下方へ直線上に配置することで前記非接触型ＩＣカード９の搬送を自重で落下させるため複雑な搬送機構を省くことができる。【００１１】  また、本発明は上述実施の形態に限らず本発明の要旨を逸脱することなく、その他種々の構成を採り得ることはもちろんである。【００１２】  つぎに、本発明に係わる請求項２に記載する実施の形態の例は、前記、本発明の請求項１に記載する実施の形態の例で述べた構成の非接触型ＩＣカード回収装置において、ガイド枠８とシュート１３構成されるガイド１７の投入口１１の間口は、前記非接触型ＩＣカード９を縦、横又は平面など無造作に投入できる広さを確保し、投入口１１から自重で落下した、前記非接触型ＩＣカード９は、表または裏面がガイド１７の下方部に設けた保留部１０のガイド枠８に設置された回収に必要なデータ処理装置１と相対する位置に、さらに、縦、横または斜めに立てる状態で、ガイド１７の下端部に設けた回収シャッター４により受け止められ、回収シャッター４の開放時には自重により自由に落下する広さに保留部１０の空間が設定されている。保留部１０の空間に回収シャッター４で受け止められた、前記、非接触型ＩＣカード９は、回収に必要なデータ処理のため、データ処理装置１と通信が可能な所定位置に近接させる必要があり、可動手段、例えば、保留部１０のシュート１３の背面に設置した、駆動モータ２で所定の角度を連結したアーム３で矢印Ｐ方向に回転するプッシャー１４により、可動する保留部１０を構成するシュート１３を介して、データ処理装置１との間の確実な通信距離が確保される所定の位置まで近接させる。シュート１３は可動するためプラスチック繊維や布製あるいはゴム製のシートなど柔軟性富み、且つ帯電防止処理のされた材料が好ましい。データ処理後にデータ処理装置１から信号により駆動モータ２の電源を回路上で切断し、可動しているシュート１３が引っ張りばね１５でプッシャー１４とともに元の位置に戻され、保留部１０は前記設定の空間に保持される。【００１３】  以上の構成の、非接触型ＩＣカード回収装置において、前記ＩＣカード９を前記保留部１０を構成する部分のシュート１３を介して、前記可動手段により相対するガイド枠８に配置されたデータ処理装置１に近接可動させることで、保留部１０の前記設定の空間を保持させても、前記非接触型ＩＣカードの回収のためのデータ処理を可能とする。【００１４】  また、本発明は上述実施の形態に限らず本発明の要旨を逸脱することなく、その他種々の構成を採り得ることはもちろんである。
【図面の簡単な説明】
【００１５】
【図１】  本発明に係わる非接触型ＩＣカード回収装置の構成を示す概略的縦断面図である。
【図２】  投入された非接触型ＩＣカードを保留部で回収シャッターに受け止めた状態を示す、前記回収装置の概略的縦断面図である。
【図３】  回収シャッターに受け止められた非接触型ＩＣカードを可動手段によりデータ処理装置に近接させた状態を示す前記回収装置の概略的縦断面図である。
【図４】  回収シャッターの開放により非接触型ＩＣカードが回収箱に自重で落下する状態を示す前記回収装置の概略的縦断面図である。
【符号の説明】
【００１６】１    データ処理装置
２    駆動モータ
３    アーム
４    回転シャッター
５    ソレノイド
６    シャッター
７    ソレノイド
８    ガイド枠
９    単体またはカードホルダーなど紐やクリップの付いたケースに収納された非接触型ＩＣカード
９ａ  回収された非接触型ＩＣカード
１０  保留部
１１  投入口
１２  回収箱
１３  シュート
１４  プッシャー
１５  引っ張りばね
１６  プッシャー
１７  ガイド
１８  ダンパー材
１９  発光ダイオード
２０  フォトトランジスター
２１  貫通孔
２２  貫通孔
【図１】
2006195941.tif 000003
【図２】
2006195941.tif 000004
【図３】
2006195941.tif 000005
【図４】
2006195941.tif 000006